(57)【要約】本発明は、植木鉢用に個々のサポートがあるフレーム、上部に点滴装置のある水コンテナー、下部に排水コレクターのあるサポートと植木鉢から構成される、植木鉢（11）に入った植物に適用される灌漑システムが内蔵された垂直に植物を配置する装置であって、上部のコンテナーに水を入れ、点滴装置を通じて水が流れ、下向きリリーフ（8.1）を伝わって水がすぐ下にある植木鉢の本体に流れ、そこから、内側のくぼみ（8.2）に入り、最終的に植木鉢に水が入る、前記装置に関する。余った水は、ドレン孔から延長導管を通じて排出され、すぐ下の植木鉢の下向きリリーフに流れ、このプロセスが続けられる。これらの要素は、植物を縦に配置するサポート構造体、重力で機能する灌漑システムからできており、ホースや植木鉢に接続する装置の必要はなく、水撒き用の水を貯蔵および分配し、余った水または排水を回収する手段がある。
2015522299.tif 000002
【特許請求の範囲】
【請求項１】
灌漑システムを内蔵し、植木鉢の植物に適用できる、垂直に配列されたプランター装置であって、個々の植木鉢用サポートを有する構造体またはフレーム、上部に水量調節用装置または点滴装置を有する水コンテナー、下部に取外しができる容器を有するサポートおよび植木鉢を特徴とし、植木鉢が、内壁のくぼみへ水が入るようにし、最終的に植木鉢の内部から水を分布させる、それらの側面または本体に下向きリリーフの開口部を有することを本質的に特徴とし、当該特徴により、植木鉢が上部のコンテナーから流れる水を吸収し、すぐ下の植木鉢の下向きリリーフに流れる余った水をドレン孔から排出し、そのプロセスが繰り返され、前記要素は、縦型に配列された個々の植木鉢用サポートの構造体を形成し、水撒き用の水を貯蔵および分配するための手段を有し、これにより余った水または排水を回収する、重力で機能し、ホースまたは植木鉢に接続された装置がない灌漑システムを備え、当該装置において、そのサポートに設置された植物に水撒きをするために上部のコンテナーに水を補給するだけでよく、植木鉢の取付けと取外しが簡単かつ迅速にでき、よってそれらは、いかなる水撒き手段または装置にも接続または結合しておらず、サポートに乗せられたのみである、前記灌漑システムを内蔵し、植木鉢の植物に適用できる、垂直に配列されたプランター装置。
【請求項２】
植木鉢のサポート（2）は、植木鉢に水が入るための下向きリリーフおよび余った水または排水を排出する孔を妨害することなく、植木鉢を支えなければならず、そして、植木鉢をその開口部が常に垂直に対して91度と170度との間の同じ角度となるよう配置しなければならず、両側にフレームを接続する延長チューブ（2.1）ならびに植木鉢の正しい位置を確保するためおよびサポートにおけるその移動を可能にするための溝または開口部（2.2）を有することを特徴とする、請求項１に記載の灌漑システムを内蔵し、植木鉢の植物に適用できる、垂直に配列されたプランター装置。
【請求項３】
植木鉢（7）は、その側面または本体にドレン孔（7.1）と下向きリリーフ（8.1）の形態の開口部を有し、内壁のくぼみ（8.2）に水が流れ、植木鉢はまた、縁またはへり（9.2）も有し、植木鉢と構造体におけるサポートとの間でストッパーの役割をし、そして、リムまたはガイド（9.3）も有し、サポートにおける植木鉢の正しい位置を確保することを特徴とする、請求項１に記載の灌漑システムを内蔵し、植木鉢の植物に適用できる、垂直に配列されたプランター装置。
【請求項４】
部品（7.1）は、すぐ下の植木鉢の開口部または下向きリリーフ（8.1）の近くおよび真上の地点に、排水を流す延長チューブまたは導管（7.2）を含む、請求項３に記載の灌漑システムを内蔵し、植木鉢の植物に適用できる、垂直に配列されたプランター装置。
【請求項５】
部品（8.2）または内部のくぼみは、植木鉢の内側に配列されている孔の配置（9.1）を有することを特徴とする、請求項３に記載の灌漑システムを内蔵し、植木鉢の植物に適用できる、垂直に配列されたプランター装置。
【発明の詳細な説明】
【技術分野】
【０００１】
発明の目的
本発明は、灌漑システムが内蔵され、植木鉢に配置された植物に適用できる垂直型プランター装置である。これは、垂直に配置された植物の手入れと水撒きが簡単にできるように設計された構造体と植木鉢から構成される。
本発明の装置は、その設計により垂直に配置された植物の取付け、取外し、水撒きを簡単かつ迅速に行うことができる。
【背景技術】
【０００２】
垂直に植物を配置し、その位置で水撒きをする構造体や組立装置が一般的に知られている。
最もよく使用される従来の方法は、構造体またはパネルに太いメッシュを吊るすまたは組付けて垂直型にするものである。このメッシュまたはメッシュ付きのパネルに植物を挿入して、その根をメッシュに組入れる。水撒きは、上部またはメッシュの異なる場所からホースまたは導管で行い、水は重力で下方に流れ、メッシュにたまり、植物に散水がされる。
従来システムの欠点は、植物の根がメッシュに組み入れられていることから、植物の取付けや取外しが複雑で、時間を要することである。
【０００３】
植物を植えたコンテナーまたは植木鉢を使うこれ以外に知られている従来のシステムとしては、垂直に対して90度より小さいまたは180度より大きい角度の構造体またはサポートの手段により配されたものである。通常、この方法の場合は、灌漑システムがないため、手作業で植木鉢ごとに水撒きをしなければならない。植物への灌漑手段がある場合は、コンテナーまたは植木鉢の空いている部分または上部から水を撒くホースまたは導管を使用するものである。
【０００４】
これらのシステムの主な欠点は、手作業での水撒きのためのあるいは常に取付けまたは取外しをしなければならないコンテナーまたは植木鉢毎に散水する装置、ホースまたは導管を設置または撤去するための時間が必要なことである。
【発明の概要】
【０００５】
本発明と垂直に配列された植物に散水するためのメッシュまたはメッシュ付きパネルを使用するシステムとの主な相違点は、本発明の場合、植木鉢に個々に植えられた植物を使用し、それぞれの鉢に水撒きをすることである。この相違点が、植物をより簡単かつ迅速に取付けおよび取外しできる利点を生み出している。それは、植物の根がどこかに支えられているまたは巻きつけれられているわけではなく、植木鉢は構造体に置かれているだけだからである。
【０００６】
本発明のシステムと垂直に植物を配置するコンテナーまたは植木鉢を使用する他のシステムとの相違点は、サポートの構造体と第１の植木鉢との間に、ホースまたは導管を接続することなく、それぞれの植木鉢に水を運ぶように設計された方式が取り入れられていることである。この相違点が、組付け方法に灌漑システムを取り入れるための要素の数を大きく削減する長所を生み出している。また、構造体に植木鉢を取付け、取外しのために必要な時間も削減される。それは、水を運ぶための何らかの方法または装置に接続または結合していないからである。
【０００７】
垂直に配置されている植物を迅速に取付け、取外し、かつ簡単に水撒きができ、そのためにできるだけ少ない数の要素または装置を使用するという目的を達成するため、本発明の装置は、垂直に植木鉢に入った植物を取付けまたは支えることができ、上部から水撒きをするための水を貯蔵および分配し、そのための手段や装置を接続または設置することなく、植木鉢に水を運び、下部から余った水または排水を回収する新しい構造体である。
このように重力で機能し、植木鉢に水を運ぶためのジョイントまたは接続の必要なく、迅速に取付け、取外しができる水撒きのための簡単な方法が確保できる。
【０００８】
本発明の散水方法は、次のように機能する。植木鉢は直接、上下に重ねるように配置し、常に垂直に対して91度と170度との間の同じ角度の開口部がある。その上部に水撒き用の水を入れるコンテナーがある。前記コンテナーから、重力で、水量調節装置で水を流すことにより、ゆっくりと常時、点滴散水をする。
水撒き用の水は、すぐ下にある植木鉢の側面または本体の下向きリリーフに流れ、そこから、内側の孔が整列する内部のくぼみに入り、水撒き用の水が確保できる。
【０００９】
その角度または傾斜により、植木鉢が水で一杯になったら、余った水は、より下の底まで流れ、そこからドレン孔を通って排水される。ドレン孔から水が出たら、すぐ下の植木鉢の下向きリリーフに点滴の形で流れ、このプロセスが残りの植木鉢にも繰り返される。
【００１０】
一番下にある植木鉢から排出される余った水または排水は、リサイクルをするためまたは水があふれないように回収される。
発明の内容を補足し、その特色をより理解してもらうために、図面一式の説明をする。
【図面の簡単な説明】
【００１１】
【図１】長い辺に導管（1.1）、上部の隅の導管（1.2）および最下部の隅に延長チューブ（1.3）があるフレームの側面図および斜視図
【図２】両側に延長チューブ（2.1）および長い辺にある溝または開口部（2.2）がある植木鉢サポートの2方向からの斜視図
【図３】ベースに延長チューブ（3.1）およびベースに孔（3.2）がある水コンテナーの2方向からの斜視図
【図４】点滴装置の正面図および斜視図
【図５】上部の隅に導管（5.1）があるコレクターサポートの斜視図
【００１２】
【図６】排水コレクターの斜視図
【図７】ドレン孔（7.1）および挿入用の延長チューブ（7.2）がある植木鉢の斜視図
【図８】下向きリリーフ（8.1）の開口部がある植木鉢および内壁のくぼみ（8.2）の断面図
【図９】内側に孔の配列（9.1）、植木鉢の開口部または上部にはへりまたは縁（9.2）およびドレン孔の延長線上にあるリムまたはガイド（9.3）がある植木鉢の斜視図
【図１０】装置のすべての構成部品の斜視図
【図１１】組立または取付けがされた装置の正面図、側面図および斜視図
【００１３】
発明の実施例
これらの図の通り、発明の装置は次の要素で構成される。
図1．フレーム、図2．植木鉢サポート、図3．水コンテナー、図4．点滴装置、図5．コレクターサポート、図6．排水コレクター、図7．植木鉢
これらすべての部品は、丈夫で耐久性のある剛体材料で、ポリプロピレンまたは特性が類似する他のプラスチック化合物の射出成形の工程に適しているものを使用する。
【００１４】
長方形のフレーム（1）には導管（1.1）があり、長い辺には植木鉢のサポートを結合または接続できる。最上部の隅の導管（1.2）と最下部の隅に延長チューブ（1.3）がある。これらは、最上部の水コンテナーと下部のコレクターサポートをフレームに接続または結合できるようになっている。
【００１５】
植木鉢サポート（2）は、植木鉢に水が流れるための下向きリリーフや余った水またはドレンを排出する孔を妨害するまたは覆わないようにして、植木鉢を支えなければならない。そして、常に垂直に対して91度と170度との間の同じ角度で、植木鉢の開口部を配置する。両側にフレームを接続する延長チューブ（2.1）、植木鉢の正しい位置を確保する溝または孔（2.2）があり、サポートごとに植木鉢を移動できる。
【００１６】
水コンテナー（3）は長方形で、構造体の上部に位置する。フレームを接続または結合するために、ベースの四つの隅に延長チューブ（3.1）がある。点滴装置を挿入するために、ベースに孔（3.2）が開いている。
点滴装置（4）は、そこを流れる水の流れるスピードを制御する装置で、通常、農業で使用するものである。水コンテナーの下にあり、すぐ下の植木鉢に点滴の方法で水を供給する。
【００１７】
コレクターサポート（5）は、長方形で、構造体の下側にある。ベースの裏側の四隅にはフレームと接続または結合するための導管（5.1）がある。
排水コレクター（6）は、長方形で、コネクターサポートの中に取り付けられているが、固定されているわけではない。下に位置する植木鉢に流れた余った水をためる機能がある。
【００１８】
円形の植木鉢（7）には、水撒きで余った水を排出するための孔（7.1）がある。そして、ドレン孔に挿入するパイプまたは導管（7.2）がある。これは余った水または排水をすぐ下にある植木鉢の下向きリリーフの上近くの地点に流すものである。植木鉢の側面または本体から水が入る開口部（8.1）がある。水コンテナーまたは上の植木鉢から、植木鉢の内部にあるくぼみ（8.2）まで流れる水の方向を決める下向きリリーフがある。この植木鉢の内部のくぼみには、水撒きの水が最終的に流れる孔の配列（9.1）がある。
【００１９】
植木鉢の開口部または上部には、へりまたは縁（9.2）があり、植木鉢とサポートのストッパーの役割を果たす。また、植木鉢の同じ部分にリムまたはガイド（9.3）があり、サポートが正しい位置に配置されるために、ドレン孔と同じ位置にある。
【００２０】
この発明の適用範囲やその長所、産業上の利用方法を専門家が理解するためには、これ以上詳しい説明をする必要はないと考えられる。
発明の本質に影響するものでなければ、材料、形、大きさ、部品の配置について変更されることもある。
本明細書の内容は、広範に理解されるべきもので、限定的なものではない。
このように発明の詳細を記述したが、これは新規のものであることから、以下の請求項の内容を私の独占権として請求する。
【図１】
2015522299.tif 000003
【図２】
2015522299.tif 000004
【図３】
2015522299.tif 000005
【図４】
2015522299.tif 000006
【図５】
2015522299.tif 000007
【図６】
2015522299.tif 000008
【図７】
2015522299.tif 000009
【図８】
2015522299.tif 000010
【図９】
2015522299.tif 000011
【図１０】
2015522299.tif 000012
【図１１】
2015522299.tif 000013
【国際調査報告】
2015522299.tif 000014
2015522299.tif 000015
2015522299.tif 000016
2015522299.tif 000017